(57)【要約】【課題】「ひげかす」やシェービングクリームを簡単かつ確実に洗浄あるいは除去することのできる複数刃カミソリを簡単な構成によって提供すること。【解決手段】スペーサを、台板１２上の後部左右に配置されることになる連結基部２１と、この連結基部２１の左右両端部からそれぞれ前方に突出する左右一対の支持腕２２と、これら各支持腕２２の表面にそれぞれ前後方向に位置をズラせて一体化されて、各ブレード４０の係合穴４１が係合される係合突起２３とにより構成するとともに、スペーサの後部壁面に切欠部２４を形成して、ブレード４０をスペーサを介して台板１２上に固定したとき、少なくとも、各支持腕２２間と切欠部２４とを連通させる通水孔５０を形成するようにしたこと。【選択図】図１
2008264194.tif 000002
【特許請求の範囲】
【請求項１】
本体を構成している柄の先端に設けた台板上に対して、スペーサを介在させて天板を嵌合することにより、複数のブレードを取り付けるようにした複数刃カミソリにおいて、
前記スペーサを、前記台板上の後部左右に配置されることになる連結基部と、この連結基部の左右両端部からそれぞれ前方に突出する左右一対の支持腕と、これら各支持腕の表面にそれぞれ前後方向に位置をズラせて一体化されて、前記各ブレードの係合穴が係合される係合突起とにより構成するとともに、
前記スペーサの後部壁面に切欠部を形成して、前記ブレードを前記スペーサを介して前記台板上に固定したとき、少なくとも、前記各支持腕間と切欠部とを連通させる通水孔を形成するようにしたことを特徴とする複数刃カミソリ。
【発明の詳細な説明】
【技術分野】
【０００１】
本発明は、複数刃カミソリ１００に関し、特に、複数のブレード４０をスペーサ２０を介して取り付けるようにした複数刃カミソリ１００に関するものである。
【背景技術】
【０００２】
従来より使用されている複数のブレード４０を有する複数刃カミソリ１００は、図１２に示すように、例えば２枚のブレード４０をスペーサ２０を介して柄の先端の台板に取り付けたものであり、１枚のブレード４０に比較して、軽いタッチで髭剃りが行え、髭剃り時の安全性も高くなっているものである。
【０００３】
このような便利な複数刃カミソリ１００ではあるが、ブレード４０を複数枚使用していることから、その間にシェービングクリームや石けん、そして剃られた髭が入り込む。ブレード４０の間にシェービングクリーム等が入ればその後のそり味が落ちるから、例えば片方の頬の髭剃りが終われば入り込んだシェービングクリームを洗い落として、次の髭剃りに備える。
【０００４】
しかしながら、このような複数刃カミソリ１００による髭剃り後にこれを洗浄したとしても、その複数のブレード４０の間にはシェービングクリーム等が詰まったままになっていることが多い。ブレード４０の間は非常に狭いからである。そして、詰まったままのシェービングクリームが乾燥すると完全に固まってしまい、次に当該複数刃カミソリ１００を使用する際には、ブレード４０の間の洗浄は殆どできない状態になってしまう。
【０００５】
このようなブレード４０間のシェービングクリーム等の詰まりを防止するために、例えば特許文献１〜３に示すような、種々な対策が採られることになる。
【特許文献１】特開平９−１６８６７７号公報、要約、代表図
【特許文献２】特開２００１−１１３０６４号公報、要約、代表図
【特許文献３】特開２００１−３１４６７１号公報、要約、代表図
【発明の開示】
【発明が解決しようとする課題】
【０００６】
特許文献１には、「ひげかすの流出を円滑に行うことができるとともに、各刃体３，４，５に対するガード板１１の組付けを容易に行うことができる」ようにした「剃刀ヘッドにおける刃先のガード構造」が示されている。
【０００７】
この特許文献１に示された「剃刀ヘッドにおける刃先のガード構造」では、図１２に示すように、「刃台１と天板２との間で三枚の刃体３，４，５を上下に重ねて挟着し、各刃体３，４，５の刃先３ａ，４ａ，５ａが露出する刃台１の前縁部にひげかす排除孔１０を各刃先３ａ，４ａ，５ａに対応して設けている。最上刃体３の上側から各刃先３ａ，４ａ，５ａの延設方向に交差して最下刃体５の下側に至る複数のガード帯１４を各刃先３ａ，４ａ，５ａの延設方向に沿って並設した一枚のガード板１１を備えている」といった構成を有するものである。
【０００８】
従って、この特許文献１の構造によれば、「刃台１のひげかす排除孔１０において、最下刃体５の刃先５ａに面するひげかす排除隙間係止部３３ａが、同刃先５ａの延設方向に沿って一連に繋がる。また、一枚のガード板１１を各刃先３ａ，４ａ，５ａに対するガード構造として兼用できる」ものであるが、図１２に示したように、各刃の間に「スペーサ」が存在していて、このスペーサによって「ひげかす」のそれ以上後方への排除ができないものとなっている。
【０００９】
また、特許文献２には、「ひげかす押出部３４の動きを安定させることができる」ようにした「ひげかす排除板付き剃刀」が示されている。
【００１０】
この特許文献２の「ひげかす排除板付き剃刀」は、図１３にも示すように、「三枚刃安全剃刀において上側ひげかす排除板９及び下側ひげかす排除板１０はそれぞれ互いに一体成形された固定部と連結部と可動部と折曲可能部２５とにより二重構造をなす。この固定部は各支軸５に取着されている。各ひげかす排除板９，１０において可動部のひげかす押出部３４が刃先６ａ，７ａ側に没入したり刃先６ａ，７ａ側から突出したりする場合、固定部の重合面２６ａに対し可動部の重合面３７が摺接し得る。そのため、可動部のひげかす押出部３４が固定部の重合面２６ａに支えられる」という構成を有したものである。
【００１１】
しかしながら、この特許文献２の「ひげかす排除板付き剃刀」においても、図１３に示したように、各刃の間に「スペーサ」が存在していて、このスペーサによって「ひげかす」のそれ以上後方への排除ができないものとなっている。
【００１２】
さらに、特許文献３には、「二枚以上の刃体を有し刃体間にヒゲかす排出通路を有する安全かみそりで、安全かみそりヘッドを振ってヒゲかすを排出するときに排出の効率を高めることが可能で、且つ使用後にヒゲ剃りクリ−ムなどが刃台後端面とスペ−サ−基部の隙間に溜ったときにこれを迅速且つ完全に洗い流すことができるものを提供する」ことを目的とした「安全かみそり」が示されている。
【００１３】
この特許文献３の「安全かみそり」は、図１４にも示すように、「天板３と刃台２と複数の刃体４，５，６及び刃体の間隔を保持するために刃体間に挾着されるスペ−サ−７，８を含み、スペ−サ−は板状であって横方向に延びる細長い基部１０，２１と、該基部の側部からほぼ直角方向に突き出した複数の突片部１１とから成り、刃台後端面１８は下方に行くに従って前方に傾く傾斜面に形成されており、各突片部１１が刃体間に挾着され、スペ−サ−の基部は刃台後端面１８よりも後方に突出し、その突出した基部はスペ−サ−の横方向に延びる折り曲げ線の位置で刃体面に対して下方向にほぼ垂直に折り曲げられている」といった構成を有するものである。
【００１４】
しかしながら、この特許文献３の「安全かみそり」においても、図１４に示したように、「突出した基部はスペ−サ−の横方向に延びる折り曲げ線の位置で刃体面に対して下方向にほぼ垂直に折り曲げられている」ものであるから、この折り曲げられた部分などが「ひげかす」のそれ以上後方への排除ができないものとなっている。
【００１５】
要するに、上記いずれの文献に記載された「カミソリ」も、各ブレード４０の間に「スペーサ」が完全に入ったままであったり、曲げられたものが存在しているものであるから、これらのスペーサ等がひげかす排除の邪魔をしていて、当該複数刃カミソリ１００を手動によって洗浄しても、「ひげかす」を十分に除去できないと考えられるのである。かといって、「スペーサ」そのものは、各ブレード４０間に一定の隙間を形成するためには必要不可欠なものであるから、これを省略する訳にはいかない。
【００１６】
そこで、本発明者等は、「ひげかす」やシェービングクリームを簡単かつ確実に洗浄あるいは除去するにはどうしたらよいか、について種々検討を重ねてきた結果、「スペーサ」や周囲の間に洗浄水が通り得る道を形成すればよいことに気付き、本発明を完成したのである。
【００１７】
すなわち、本発明の目的とするところは、「ひげかす」やシェービングクリームを簡単かつ確実に洗浄あるいは除去することのできる複数刃カミソリ１００を、簡単な構成によって提供することにある。
【課題を解決するための手段】
【００１８】
以上の課題を解決するために、まず、請求項１に係る発明の採った手段は、後述する最良形態の説明中で使用する符号を付して説明すると、
「本体１０を構成している柄１１の先端に設けた台板１２上に対して、スペーサ２０を介在させて天板３０を嵌合することにより、複数のブレード４０を取り付けるようにした複数刃カミソリ１００において、
スペーサ２０を、台板１２上の後部左右に配置されることになる連結基部２１と、この連結基部２１の左右両端部からそれぞれ前方に突出する左右一対の支持腕２２と、これら各支持腕２２の表面にそれぞれ前後方向に位置をズラせて一体化されて、各ブレード４０の係合穴４１が係合される係合突起２３とにより構成するとともに、
スペーサ２０の後部壁面に切欠部２４を形成して、ブレード４０をスペーサ２０を介して台板１２上に固定したとき、少なくとも、各支持腕２２間と切欠部２４とを連通させる通水孔５０を形成するようにしたことを特徴とする複数刃カミソリ１００」
である。
【００１９】
すなわち、本発明に係る複数刃カミソリ１００では、図４に示すように、二枚のブレード４０の間に通水孔５０を積極的に形成するようにしたものである。そして、この通水孔５０は、その前端を、露出している二枚のブレード４０の先端間の開口とし、その後端を、スペーサ２０の後部壁面に形成した切欠部２４としたものであり、この通水孔５０の中間部は、スペーサ２０を構成している各支持腕２２の間の空間としているものである。
【００２０】
換言すれば、この通水孔５０を形成するためのキーとなるのが、スペーサ２０の構造である。そのために、このスペーサ２０は、図１及び図８に示すように、まず、台板１２上の後部左右に配置されることになる連結基部２１と、この連結基部２１の左右両端部からそれぞれ前方に突出する左右一対の支持腕２２と、これら各支持腕２２の表面にそれぞれ前後方向に位置をズラせて一体化されて、各ブレード４０の係合穴４１が係合される係合突起２３とにより構成したものである。
【００２１】
各支持腕２２は、丁度線路の「枕木」に該当することになるものであり、その上下両側には、「レール」に該当する一枚宛のブレード４０が配置されるのである。これにより、二枚のブレード４０は、左右両側に位置する各支持腕２２によって支えられて、その間に隙間を形成した状態で支持されることになる。つまり、各ブレード４０は、中央部分では互いに浮いた状態となるものである。
【００２２】
そして、このスペーサ２０の後部背面には、図１及び図８の特に（ｂ）に示すように、横方向に横たわる切欠部２４が形成してあるから、この切欠部２４が二枚のブレード４０間の隙間の後端側に位置することになるのである。なお、後述する最良形態では、図９の（ａ）に示すように、切欠部２４の上端面に対向する天板３０側の部分に切欠部３１が形成してあって、この切欠部３１とスペーサ２０側の切欠部２４とによって、通水孔５０の後端部を十分大きく開口させることになるのである。
【００２３】
以上の結果、通水孔５０は、二枚のブレード４０の間から、つまり前面側から、後端側であるスペーサ２０側の切欠部２４に向けて完全に開口したものとなり、二枚のブレード４０の間に「ひげかす」を確実に侵入させ得る。逆に、通水孔５０は前から後ろに掛けて完全に開口しているから、当該複数刃カミソリ１００を水の中で洗うだけで、この通水孔５０内、換言すれば二枚のブレード４０の間に溜まったシェービングクリームや「ひげかす」を確実に流し出すことができるのである。
【００２４】
従って、本発明に係る複数刃カミソリ１００は、「ひげかす」やシェービングクリームを簡単かつ確実に洗浄あるいは除去することのできるものとなっており、何度使用しても剃り心地の優れたものとなっているのである。
【発明の効果】
【００２５】
以上の通り、本発明においては、
「本体１０を構成している柄１１の先端に設けた台板１２上に対して、スペーサ２０を介在させて天板３０を嵌合することにより、複数のブレード４０を取り付けるようにした複数刃カミソリ１００において、
スペーサ２０を、台板１２上の後部左右に配置されることになる連結基部２１と、この連結基部２１の左右両端部からそれぞれ前方に突出する左右一対の支持腕２２と、これら各支持腕２２の表面にそれぞれ前後方向に位置をズラせて一体化されて、各ブレード４０の係合穴４１が係合される係合突起２３とにより構成するとともに、
スペーサ２０の後部壁面に切欠部２４を形成して、ブレード４０をスペーサ２０を介して台板１２上に固定したとき、少なくとも、各支持腕２２間と切欠部２４とを連通させる通水孔５０を形成するようにしたこと」
にその構成上の特徴があり、これにより、「ひげかす」やシェービングクリームを簡単かつ確実に洗浄あるいは除去することができて、何度使用しても剃り心地の優れた複数刃カミソリ１００とすることができるのである。
【発明を実施するための最良の形態】
【００２６】
以上のように構成した本発明を、図面に示した最良の形態である複数刃カミソリ１００について説明すると、図１には、当該複数刃カミソリ１００の分解斜視図が示してある。すなわち、この最良形態の複数刃カミソリ１００は、本体１０、スペーサ２０、複数のブレード４０、これを固定するための天板３０、そして、上記ブレード４０や天板３０を覆うカバー７０とを備えたものである。
【００２７】
本体１０は、図１〜図３に示したように、手で持てる程度の柄１１と、この柄１１の上端に一体的に形成した台板１２とを備えたものであり、本最良形態では、使い捨て用のものとして、合成樹脂を材料として一体成形したものである。
【００２８】
台板１２は、後述するブレード４０をスペーサ２０を介して天板３０によって支持するものであり、図５〜図７に示したように、肌に直接当接される先端１２ａと、この先端１２ａの上面に形成した複数の案内突起１２ｂとを備えたものである。また、この台板１２には、特に図７の（ａ）に示したように、「そりかす抜き」の一部を担う前端開口１３が形成してあり、この前端開口１３は、図４にも示したように、最下段のブレード４０の下側にて開口し、かつ台板１２の先端１２ａ上に設けた案内突起１２ｂ間の空間とも連通することになるものである。この前端開口１３は、図４にも示したように、第２通水孔６０を形成するものである。
【００２９】
さて、スペーサ２０であるが、このスペーサ２０は、図８または図１０に示したように、まず、台板１２上の後部左右に配置されることになる連結基部２１と、この連結基部２１の左右両端部からそれぞれ前方に突出する左右一対の支持腕２２と、これら各支持腕２２の表面にそれぞれ前後方向に位置をズラせて一体化されて、各ブレード４０の係合穴４１が係合される係合突起２３とにより構成したものである。この図８に示したスペーサ２０は、所謂「二枚刃」用のものであるが、「三枚刃」用のものとしては、図１０に示してある。
【００３０】
図８に示した、所謂「二枚刃」用のスペーサ２０では、図８の（ｂ）及び（ｃ）に示したように、左右二本の支持腕２２が、連結基部２１の左右両端部から突出形成してあり、これら各支持腕２２の上下両面には、ブレード４０に形成してある図１に示した係合穴４１内に係合される係合突起２３が、上下両側について位置を前後にズラせて形成してある。
【００３１】
各支持腕２２についての各係合突起２３として、前後に位置をズラせたのは、これら係合突起２３によって位置決めされる各ブレード４０の刃先が、図４及び図５に示したように、前後にズレるようにするためである。また、このように係合突起２３がズラした状態で形成してあれば、同じ位置に係合穴４１を形成したスペーサ２０を使用できるのであり、例えば図１２や図１３に示した従来技術におけるように、それぞれ位置が異なることによって異なる形状のブレードを使用しなければならないものに比較すれば、同じ形状のブレード４０をどの位置でも使用できることになって、コスト低減や製造上の作業性を向上させることもできる。
【００３２】
一方、図１０に示した「三枚刃」用のスペーサ２０では、一本の連結基部２１の左右両端部からそれぞれ二本宛の支持腕２２が、合計４本突出させてある。これら４本の支持腕２２間には、二枚目のブレード４０が横方向に挿入されるのであり、下側の左右二本宛の支持腕２２の下側には一枚目のブレード４０が、また上側の左右二本宛の支持腕２２の上側には三枚目のブレード４０が配置され、合計三枚のブレード４０が使用される。各支持腕２２の外面には、図８に示したスペーサ２０とほぼ同様に、各ブレード４０の係合穴４１内に挿入されることになる係合突起２３が形成してある。勿論、これらの係合突起２３の形成位置は、上記図８に示したものの場合と同様に、各ブレード４０の刃先が順にズレるように形成してある。
【００３３】
この図１０に示したスペーサ２０では、二枚目のブレード４０の位置決めをするのを連結基部２１の内面とし、係合突起２３を形成しないで、この連結基部２１の内面に二枚目のブレード４０の後端面が当接するようにすれば十分である。しかしながら、例えば上側の支持腕２２に成形型のスライドコアが入り得る切欠を設けておいて、スライドコアを使用して係合突起２３を形成するようにすることは十分可能である。
【００３４】
なお、下側の各係合突起２３は、図４及び図７の（ａ）に示した、台板１２側に形成してある係合穴１２ｃ内に係合され、上側の各係合突起２３は、図４及び図９の（ｂ）に示した、後述する天板３０側に形成してある係合穴３２内に係合されることになる。
【００３５】
以上のようなスペーサ２０に組み込まれた複数のブレード４０は、天板３０を使用して、本体１０の台板１２上に取り付けられる。この天板３０は、まず、図９に示したように、一番上のブレード４０のほぼ全体を覆うことになる基部を備えている。この天板３０の基部裏面には、図９の（ａ）及び（ｂ）に示したように、前述したスペーサ２０側の上面側の係合突起２３が係合される係合穴３２が形成してあり、この係合穴３２は、図９の（ａ）に示したように、通水孔５０の終端を形成している切欠部３１の端部上方に位置している。
【００３６】
通水孔５０の終端を形成している切欠部３１は、図９の（ａ）に示したように、天板３０の基部の後端面に形成したものである。この切欠部３１は、当該天板３０側に限らず、例えば本最良形態のスペーサ２０側の後端部に形成するようにして実施してもよいものである。
【００３７】
この天板３０は、上述した台板１２側に固定する必要があるから、その基部の側面に、図９の（ａ）に示したように、当該天板３０を台板１２の両側面に係合させるための嵌合アーム３３が左右にそれぞれ形成してある。勿論、これら各嵌合アーム３３は台板１２に係合させなければならないから、その下端部には、図９の（ａ）及び（ｃ）に示したように、係止部３３ａが内向きに一体的に形成してある。
【００３８】
そして、この天板３０の基部先端には、図１及び図９の（ｂ）にも示したように、開放部３４が形成してある。この開放部３４は、図５に示したように、位置ズレさせた複数枚のブレード４０の各刃先を露出させるものであり、この開放部３４の両側は、刃先の両端部を露出させないで髭剃り時の安全性が確保できるようにしている。
【００３９】
本発明に係る複数刃カミソリ１００で使用されるブレード４０は、図１にも示したように、二枚または三枚共、同じ形状のものであり、位置決めするための各係合穴４１もその形成位置や大きさは全く同じである。つまり、本最良形態での複数刃カミソリ１００においては、二枚または三枚共同じ形状のものが使用できるのであり、その理由は、上記スペーサ２０の構成にある。
【図面の簡単な説明】
【００４０】
【図１】本発明に係る複数刃カミソリの分解斜視図である。
【図２】同複数刃カミソリの側面図である。
【図３】同複数刃カミソリの正面図である。
【図４】図３中の１−１線に沿って見た同複数刃カミソリの部分拡大縦断面図である。
【図５】同複数刃カミソリの平面図である。
【図６】同複数刃カミソリの部分拡大正面図である。
【図７】同複数刃カミソリの本体及び台板を示すもので、（ａ）は平面図、（ｂ）は部分正面図である。
【図８】同複数刃カミソリを構成しているスペーサの第１実施例を拡大して示すもので、（ａ）は平面図、（ｂ）は正面図、（ｃ）は側面図である。
【図９】同複数刃カミソリを構成している天板を拡大して示すもので、（ａ）は正面図、（ｂ）は底面図、（ｃ）は縦断面図である。
【図１０】同複数刃カミソリを構成しているスペーサの第２実施例を拡大して示すもので、（ａ）は平面図、（ｂ）は正面図、（ｃ）は側面図である。
【図１１】一般的な複数刃カミソリの構成を示す分解斜視図である。
【図１２】特許文献１に示された複数刃カミソリの部分拡大縦断面図である。
【図１３】特許文献２に示された複数刃カミソリの部分拡大縦断面図である。
【図１４】特許文献３に示された複数刃カミソリの部分拡大縦断面図である。
【符号の説明】
【００４１】
１００    複数刃カミソリ
１０    本体
１１    柄
１２    台板
１２ａ  先端
１２ｂ  案内突起
１２ｃ  係合穴
１３    前端開口
２０    スペーサ
２１    連結基部
２２    支持腕
２３    係合突起
２４    切欠部
３０    天板
３１    切欠部
３２    係合穴
３３    嵌合アーム
３３ａ  係止部
３４    開放部
４０    ブレード
４１    係合穴
５０    通水孔
６０    第２通水孔
７０    カバー
【図１】
2008264194.tif 000003
【図２】
2008264194.tif 000004
【図３】
2008264194.tif 000005
【図４】
2008264194.tif 000006
【図５】
2008264194.tif 000007
【図６】
2008264194.tif 000008
【図７】
2008264194.tif 000009
【図８】
2008264194.tif 000010
【図９】
2008264194.tif 000011
【図１０】
2008264194.tif 000012
【図１１】
2008264194.tif 000013
【図１２】
2008264194.tif 000014
【図１３】
2008264194.tif 000015
【図１４】
2008264194.tif 000016